(57)【特許請求の範囲】
【請求項１】
入射された光を反射する反射面を有し、前記反射面で反射された光を予め定められた走査周期で走査する回転多面鏡と、
前記反射面に向けて前記回転多面鏡の回転軸の軸方向に離間した複数の光を射出する複数の光源と、
前記回転多面鏡による光の走査経路上において、前記光源各々により射出されて前記反射面で反射された光各々の光量を検出する光検出部と、
前記光検出部によって検出される光各々の光量に基づいて前記反射面における現在の汚れの付着状況を特定し、特定された汚れの付着状況に基づいて前記走査周期における前記光源各々の発光光量をより低い光量に切り替える切替タイミングを取得する取得処理部と、
前記取得処理部によって取得される前記切替タイミングに基づいて、前記光源各々の発光光量を切り替える切替処理部と、
を備え、
前記取得処理部は、前記光検出部によって複数の前記走査周期で検出される光各々の光量の平均値に基づいて、前記切替タイミングを取得する光走査装置。
【請求項２】
前記光検出部によって検出される光各々の光量のいずれかが予め定められた閾値未満である場合に前記反射面の清掃が必要である旨を報知する報知処理部を更に備える請求項１に記載の光走査装置。
【請求項３】
予め定められたタイミングで前記光源各々を画像データに基づく光の射出時より強い予め定められた特定光量で発光させる発光処理部を更に備え、
前記取得処理部は、前記発光処理部によって前記光源各々が発光された場合に前記光検出部によって検出される光各々の光量に基づいて、前記切替タイミングを取得する請求項１又は２に記載の光走査装置。
【請求項４】
入射された光を反射する反射面を有し、前記反射面で反射された光を予め定められた走査周期で走査する回転多面鏡と、
前記反射面に向けて前記回転多面鏡の回転軸の軸方向に離間した複数の光を射出する複数の光源と、
前記回転多面鏡による光の走査経路上において、前記光源各々により射出されて前記反射面で反射された光各々の光量を検出する光検出部と、
前記光検出部によって検出される光各々の光量に基づいて前記反射面における現在の汚れの付着状況を特定し、特定された汚れの付着状況に基づいて前記走査周期における前記光源各々の発光光量をより低い光量に切り替える切替タイミングを取得する取得処理部と、
前記取得処理部によって取得される前記切替タイミングに基づいて、前記光源各々の発光光量を切り替える切替処理部と、
前記光源各々により射出された光各々を反射する前記反射面を特定する特定処理部と、
を備え、
前記取得処理部は、前記特定処理部によって特定される前記反射面ごとに前記光検出部によって検出される光各々の光量に基づいて、前記反射面各々に対応する前記走査周期における前記切替タイミングを取得する光走査装置。
【請求項５】
前記取得処理部は、前記特定処理部によって特定される前記反射面ごとに前記光検出部によって複数の前記走査周期で検出される光各々の光量の平均値に基づいて、前記反射面各々に対応する前記走査周期における前記切替タイミングを取得する請求項４に記載の光走査装置。
【請求項６】
前記光検出部によって検出される光各々の光量のいずれかが予め定められた閾値未満である場合に前記反射面の清掃が必要である旨を報知する報知処理部を更に備える請求項４又は５に記載の光走査装置。
【請求項７】
予め定められたタイミングで前記光源各々を画像データに基づく光の射出時より強い予め定められた特定光量で発光させる発光処理部を更に備え、
前記取得処理部は、前記発光処理部によって前記光源各々が発光された場合に前記光検出部によって検出される光各々の光量に基づいて、前記切替タイミングを取得する請求項４〜６のいずれかに記載の光走査装置。
【請求項８】
入射された光を反射する反射面を有し、前記反射面で反射された光を予め定められた走査周期で走査する回転多面鏡と、
前記反射面に向けて前記回転多面鏡の回転軸の軸方向に離間した複数の光を射出する複数の光源と、
前記回転多面鏡による光の走査経路上において、前記光源各々により射出されて前記反射面で反射された光各々の光量を検出する光検出部と、
前記光検出部によって検出される光各々の光量に基づいて前記反射面における現在の汚れの付着状況を特定し、特定された汚れの付着状況に基づいて前記走査周期における前記光源各々の発光光量をより低い光量に切り替える切替タイミングを取得する取得処理部と、
前記取得処理部によって取得される前記切替タイミングに基づいて、前記光源各々の発光光量を切り替える切替処理部と、
予め定められたタイミングで前記光源各々を画像データに基づく光の射出時より強い予め定められた特定光量で発光させる発光処理部と、
を備え、
前記取得処理部は、前記発光処理部によって前記光源各々が発光された場合に前記光検出部によって検出される光各々の光量に基づいて、前記切替タイミングを取得する光走査装置。
【請求項９】
請求項１〜８のいずれかに記載の光走査装置を備える画像形成装置。
【請求項１０】
入射された光を反射する反射面を有し、前記反射面で反射された光を予め定められた走査周期で走査する回転多面鏡と、前記反射面に向けて前記回転多面鏡の回転軸の軸方向に離間した複数の光を射出する複数の光源と、前記回転多面鏡による光の走査経路上において、前記光源各々により射出されて前記反射面で反射された光各々の光量を検出する光検出部と、を備える光走査装置で実行される光走査方法であって、
前記光検出部によって検出される光各々の光量に基づいて前記反射面における現在の汚れの付着状況を特定し、特定された汚れの付着状況に基づいて前記走査周期における前記光源各々の発光光量をより低い光量に切り替える切替タイミングを取得する第１ステップと、
前記第１ステップによって取得される前記切替タイミングに基づいて、前記光源各々の発光光量を切り替える第２ステップと、
を含み、
前記第１ステップでは、前記光検出部によって複数の前記走査周期で検出される光各々の光量の平均値に基づいて、前記切替タイミングが取得される光走査方法。
【請求項１１】
入射された光を反射する反射面を有し、前記反射面で反射された光を予め定められた走査周期で走査する回転多面鏡と、前記反射面に向けて前記回転多面鏡の回転軸の軸方向に離間した複数の光を射出する複数の光源と、前記回転多面鏡による光の走査経路上において、前記光源各々により射出されて前記反射面で反射された光各々の光量を検出する光検出部と、を備える光走査装置で実行される光走査方法であって、
前記光検出部によって検出される光各々の光量に基づいて前記反射面における現在の汚れの付着状況を特定し、特定された汚れの付着状況に基づいて前記走査周期における前記光源各々の発光光量をより低い光量に切り替える切替タイミングを取得する第１ステップと、
前記第１ステップによって取得される前記切替タイミングに基づいて、前記光源各々の発光光量を切り替える第２ステップと、
前記光源各々により射出された光各々を反射する前記反射面を特定する第３ステップと、
を含み、
前記第１ステップでは、前記第３ステップによって特定される前記反射面ごとに前記光検出部によって検出される光各々の光量に基づいて、前記反射面各々に対応する前記走査周期における前記切替タイミングが取得される光走査方法。
【請求項１２】
入射された光を反射する反射面を有し、前記反射面で反射された光を予め定められた走査周期で走査する回転多面鏡と、前記反射面に向けて前記回転多面鏡の回転軸の軸方向に離間した複数の光を射出する複数の光源と、前記回転多面鏡による光の走査経路上において、前記光源各々により射出されて前記反射面で反射された光各々の光量を検出する光検出部と、を備える光走査装置で実行される光走査方法であって、
前記光検出部によって検出される光各々の光量に基づいて前記反射面における現在の汚れの付着状況を特定し、特定された汚れの付着状況に基づいて前記走査周期における前記光源各々の発光光量をより低い光量に切り替える切替タイミングを取得する第１ステップと、
前記第１ステップによって取得される前記切替タイミングに基づいて、前記光源各々の発光光量を切り替える第２ステップと、
予め定められたタイミングで前記光源各々を画像データに基づく光の射出時より強い予め定められた特定光量で発光させる第３ステップと、
を含み、
前記第１ステップでは、前記第３ステップによって前記光源各々が発光された場合に前記光検出部によって検出される光各々の光量に基づいて、前記切替タイミングが取得される光走査方法。
【発明の詳細な説明】
【技術分野】
【０００１】
本発明は、電子写真方式の画像形成装置、画像形成装置に設けられる光走査装置、及び光走査装置で実行される光走査方法に関する。
【背景技術】
【０００２】
電子写真方式で画像を形成可能なプリンターのような画像形成装置では、画像データに基づいて光源から射出される光が回転多面鏡によって感光体ドラムなどの像担持体上に走査されて、像担持体上に画像データに対応する静電潜像が形成される。この種の画像形成装置では、回転多面鏡によって走査される光源の光を検出可能な受光部における光の検出タイミングに基づいて、画像データの各ラインに対応する光の射出タイミング、即ち静電潜像の書き出しタイミングが決定される。
【０００３】
また、この種の画像形成装置では、回転多面鏡の反射面に汚れが生じることがある。この場合、前記反射面の反射率が低下して、回転多面鏡によって走査される光の光量が低下する。これに対し、受光部で検出される光の光量に基づいて光源の発光光量を調整可能な画像形成装置が知られている（例えば、特許文献１参照）。
【先行技術文献】
【特許文献】
【０００４】
【特許文献１】特開２０１３−１０５０２７号公報
【発明の概要】
【発明が解決しようとする課題】
【０００５】
しかしながら、回転多面鏡の反射面には、汚れが生じやすい領域と汚れが生じにくい領域とが存在する。そのため、受光部で検出される光の光量に基づいて光源の発光光量が調整される場合において、光源の発光光量が回転多面鏡による光の走査周期内で同一とされる場合には、回転多面鏡によって走査される光の光量にバラつきが生じる。
【０００６】
本発明の目的は、回転多面鏡によって走査される光の光量のバラつきを抑制可能な光走査装置、画像形成装置、及び光走査方法を提供することにある。
【課題を解決するための手段】
【０００７】
本発明の一の局面に係る光走査装置は、回転多面鏡と、複数の光源と、光検出部と、取得処理部と、切替処理部とを備える。前記回転多面鏡は、入射された光を反射する反射面を有し、前記反射面で反射された光を予め定められた走査周期で走査する。前記複数の光源は、前記反射面に向けて前記回転多面鏡の回転軸の軸方向に離間した複数の光を射出する。前記光検出部は、前記回転多面鏡による光の走査経路上において、前記光源各々により射出されて前記反射面で反射された光各々の光量を検出する。前記取得処理部は、前記光検出部によって検出される光各々の光量に基づいて、前記走査周期における前記光源各々の発光光量の切替タイミングを取得する。前記切替処理部は、前記取得処理部によって取得される前記切替タイミングに基づいて、前記光源各々の発光光量を切り替える。
【０００８】
本発明の他の局面に係る画像形成装置は、前記光走査装置を備える。
【０００９】
本発明の他の局面に係る光走査方法は、入射された光を反射する反射面を有し、前記反射面で反射された光を予め定められた走査周期で走査する回転多面鏡と、前記反射面に向けて前記回転多面鏡の回転軸の軸方向に離間した複数の光を射出する複数の光源と、前記回転多面鏡による光の走査経路上において、前記光源各々により射出されて前記反射面で反射された光各々の光量を検出する光検出部と、を備える光走査装置で実行され、以下の第１ステップ、及び第２ステップを含む。前記第１ステップでは、前記光検出部によって検出される光各々の光量に基づいて、前記走査周期における前記光源各々の発光光量の切替タイミングが取得される。前記第２ステップでは、前記第１ステップによって取得される前記切替タイミングに基づいて、前記光源各々の発光光量が切り替えられる。
【発明の効果】
【００１０】
本発明によれば、回転多面鏡によって走査される光の光量のバラつきを抑制可能な光走査装置、画像形成装置、及び光走査方法が実現される。
【図面の簡単な説明】
【００１１】
【図１】図１は、本発明の実施形態に係る画像形成装置の構成を示す図である。
【図２】図２は、本発明の実施形態に係る画像形成装置のシステム構成を示すブロック図である。
【図３】図３は、本発明の実施形態に係る画像形成装置の光走査部の構成を示す図である。
【図４】図４は、本発明の実施形態に係る画像形成装置の光射出部の構成を示す図である。
【図５】図５は、本発明の実施形態に係る画像形成装置の反射面を示す図である。
【図６】図６は、本発明の実施形態に係る画像形成装置の受光部の構成を示す図である。
【図７】図７は、本発明の実施形態に係る画像形成装置における受光部の受光信号を示す図である。
【図８】図８は、本発明の実施形態に係る画像形成装置における駆動信号とＢＤ信号との関係を示す図である。
【図９】図９は、本発明の実施形態に係る画像形成装置の反射面に生じる汚れを示す図である。
【図１０】図１０は、本発明の実施形態に係る画像形成装置の反射面に生じる汚れを示す図である。
【図１１】図１１は、本発明の実施形態に係る画像形成装置の反射面に設定される分割領域を示す図である。
【図１２】図１２は、本発明の実施形態に係る画像形成装置で用いられる光量補正データの構成を示す図である。
【図１３】図１３は、本発明の実施形態に係る画像形成装置で実行されるタイミング取得処理の一例を示すフローチャートである。
【図１４】図１４は、本発明の実施形態に係る画像形成装置で実行される潜像形成処理の一例を示すフローチャートである。
【発明を実施するための形態】
【００１２】
以下、添付図面を参照しながら、本発明の実施形態について説明し、本発明の理解に供する。なお、以下の実施形態は、本発明を具体化した一例であって、本発明の技術的範囲を限定するものではない。
【００１３】
［画像形成装置１０の概略構成］
まず、図１及び図２を参照しつつ、本発明の実施形態に係る画像形成装置１０の概略構成について説明する。ここで、図１は画像形成装置１０の構成を示す断面模式図である。
【００１４】
画像形成装置１０は、原稿から画像データを読み取るスキャン機能、及び画像データに基づいて画像を形成するプリント機能と共に、ファクシミリ機能、及びコピー機能などの複数の機能を有する複合機である。なお、本発明は、プリンター装置、ファクシミリ装置、及びコピー機などの画像形成装置に適用可能である。
【００１５】
画像形成装置１０は、図１及び図２に示されるように、ＡＤＦ１、画像読取部２、画像形成部３、給紙部４、制御部５、及び操作表示部６を備える。
【００１６】
ＡＤＦ１は、原稿セット部、複数の搬送ローラー、原稿押さえ、及び排紙部を備え、画像読取部２によって読み取られる原稿を搬送する自動原稿搬送装置である。画像読取部２は、原稿台、光源、複数のミラー、光学レンズ、及びＣＣＤ（Charge Coupled Device）を備え、原稿から画像データを読み取ることが可能である。
【００１７】
画像形成部３は、画像読取部２で読み取られた画像データ又は外部のパーソナルコンピューター等の情報処理装置から入力された画像データに基づいて、電子写真方式で画像を形成する画像形成処理（印刷処理）を実行可能である。具体的に、画像形成部３は、図１に示されるように、感光体ドラム３１、帯電器３２、光走査部３３、現像器３４、転写ローラー３５、クリーニング装置３６、定着ローラー３７、加圧ローラー３８、及び排紙トレイ３９を備える。
【００１８】
給紙部４は、給紙カセット、及び複数の搬送ローラーを備え、前記給紙カセットに収容されるシートを画像形成部３に供給する。なお、前記シートは、紙、コート紙、ハガキ、封筒、及びＯＨＰシートなどのシート材料である。
【００１９】
画像形成部３では、給紙部４から供給される前記シートに以下の手順で画像が形成され、画像形成後の前記シートが排紙トレイ３９に排出される。
【００２０】
まず、帯電器３２によって感光体ドラム３１の表面が所定の電位に一様に帯電される。次に、光走査部３３により感光体ドラム３１の表面に画像データに基づく光が照射される。これにより、感光体ドラム３１の表面に画像データに対応する静電潜像が形成される。そして、感光体ドラム３１上の静電潜像は現像器３４によってトナー像として現像（可視像化）される。なお、現像器３４には、画像形成部３に着脱可能なトナーコンテナ３４Ａからトナー（現像剤）が補給される。
【００２１】
続いて、感光体ドラム３１に形成されたトナー像は転写ローラー３５によってシートに転写される。その後、シートに転写されたトナー像は、そのシートが定着ローラー３７及び加圧ローラー３８の間を通過する際に定着ローラー３７で加熱されて溶融定着する。なお、感光体ドラム３１の表面に残存したトナーはクリーニング装置３６で除去される。
【００２２】
制御部５は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性の記憶部である。前記ＥＥＰＲＯＭは、不揮発性の記憶部である。制御部５では、前記ＣＰＵにより前記ＲＯＭに予め記憶された各種の制御プログラムが実行される。これにより、画像形成装置１０が制御部５により統括的に制御される。なお、制御部５は、集積回路（ＡＳＩＣ）などの電子回路で構成されたものであってもよく、画像形成装置１０を統括的に制御するメイン制御部とは別に設けられた制御部であってもよい。
【００２３】
操作表示部６は、制御部５からの制御指示に応じて各種の情報を表示する液晶ディスプレー及びＬＥＤなどから成る表示部、及びユーザーの操作に応じて制御部５に各種の情報を入力する操作キー又はタッチパネルなどの操作部を有する。
【００２４】
［光走査部３３の構成］
次に、図２〜図８を参照しつつ、画像形成部３の光走査部３３について説明する。なお、図３は光走査部３３において各構成要素の配置及び光の経路が概念的に示された図である。また、図４は図３におけるＩＶ−ＩＶ矢視図である。また、図５は図３におけるＶ−Ｖ矢視図である。また、図６は図３におけるＶＩ−ＶＩ矢視図である。また、図７は受光部３３６の受光素子３３６Ａ〜３３６Ｆ各々で受光される光の受光強度と受光素子３３６Ａ〜３３６Ｆ各々から出力される受光信号との関係を示す図である。また、図８はモーター駆動部３３３に入力される駆動信号と受光素子３３６Ｆから出力される受光信号（以下、「ＢＤ信号」と称する。）との関係を示す図である。なお、図５では、潜像形成領域Ｒ１００が二点鎖線により示されている。
【００２５】
光走査部３３は、感光体ドラム３１上に画像データに対応する静電潜像を形成する。具体的に、光走査部３３は、図２及び図３に示されるように、ポリゴンミラー３３１、モーター３３２、モーター駆動部３３３、光射出部３３４、光源駆動部３３５、及び受光部３３６を備える。
【００２６】
ポリゴンミラー３３１は、図３に示される回転軸３３１Ｇを中心に高速回転可能であって、光射出部３３４から入射される光Ｂ１〜Ｂ６を走査する。例えば、ポリゴンミラー３３１は、平面視が正六角形の形状であって、光射出部３３４から入射された光Ｂ１〜Ｂ６を反射する反射面３３１Ａ〜３３１Ｆを有する。ここに、ポリゴンミラー３３１が、本発明における回転多面鏡の一例である。
【００２７】
モーター３３２は、ポリゴンミラー３３１を回転させる。例えば、モーター３３２はブラシレスモーターである。例えば、モーター３３２は、ポリゴンミラー３３１を図３に示される回転方向Ｄ１に回転させる。これにより、ポリゴンミラー３３１は、光射出部３３４から入射されて反射面３３１Ａ〜３３１Ｆで反射された光Ｂ１〜Ｂ６を、図３に示される主走査方向Ｄ２に走査する。また、モーター３３２は、ポリゴンミラー３３１を予め定められた回転周期Ｔ１（図８参照）で回転させる。これにより、ポリゴンミラー３３１は、光射出部３３４から入射されて反射面３３１Ａ〜３３１Ｆで反射された光Ｂ１〜Ｂ６を、前記回転周期の６分の１に当たる走査周期Ｔ２（図８参照）で走査する。なお、ポリゴンミラー３３１によって走査された光Ｂ１〜Ｂ６は、ｆθレンズのような走査レンズ及び反射ミラーなどの不図示の光学系を経由して感光体ドラム３１を照射する。
【００２８】
モーター駆動部３３３は、モーター３３２に駆動電流を供給してモーター３３２を回転させる駆動回路である。例えば、モーター駆動部３３３は、制御部５から入力される前記駆動信号（図８参照）の周波数に応じた速度でモーター３３２を回転させる。例えば、画像形成装置１０では、図８に示されるように、前記駆動信号の５周期と回転周期Ｔ１とが対応付けられている。例えば、モーター駆動部３３３は、モーター３３２の回転数を検出する不図示のパルスエンコーダーから出力される検出信号及び前記駆動信号に基づくＰＬＬ制御により、モーター３３２を前記駆動信号の周波数に応じた速度で回転させる。
【００２９】
光射出部３３４は、ポリゴンミラー３３１の反射面３３１Ａ〜３３１Ｆに向けて光Ｂ１〜Ｂ６を射出する。例えば、光射出部３３４は、図４に示されるように、発光部３３４Ａ〜３３４Ｆを有するマルチビーム方式の半導体レーザー素子である。図４に示されるように、発光部３３４Ａは光Ｂ１を射出し、発光部３３４Ｂは光Ｂ２を射出する。また、発光部３３４Ｃは光Ｂ３を射出し、発光部３３４Ｄは光Ｂ４を射出する。また、発光部３３４Ｅは光Ｂ５を射出し、発光部３３４Ｆは光Ｂ６を射出する。なお、光射出部３３４に設けられる発光部の数は、２つ以上５つ以下であってもよく、７つ以上であってもよい。ここに、発光部３３４Ａ〜３３４Ｆが、本発明における複数の光源の一例である。
【００３０】
発光部３３４Ａ〜３３４Ｆは、ポリゴンミラー３３１の回転軸３３１Ｇの軸方向に離間した光Ｂ１〜Ｂ６を射出する。例えば、発光部３３４Ａ〜３３４Ｆは、光射出部３３４のポリゴンミラー３３１との対向面３３４Ｇにおいて、ポリゴンミラー３３１の回転軸３３１Ｇの軸方向（図４における紙面の上下方向）に離間して配置される。また、発光部３３４Ａ〜３３４Ｆは、光射出部３３４のポリゴンミラー３３１との対向面３３４Ｇにおいて、回転軸３３１Ｇの軸方向に垂直な方向（図４における紙面の左右方向）に離間して配置される。
【００３１】
例えば、発光部３３４Ａから射出された光Ｂ１は、図５に示されるように、反射面３３１Ａの照射位置Ｐ１に照射されて、受光部３３６に向けて反射される。同様に、発光部３３４Ｂ〜３３４Ｆ各々から射出された光Ｂ２〜Ｂ６は、図５に示されるように、反射面３３１Ａの照射位置Ｐ２〜Ｐ６に照射されて、受光部３３６に向けて反射される。ポリゴンミラー３３１が回転方向Ｄ１に回転すると、反射面３３１Ａで反射された光Ｂ１〜Ｂ６が主走査方向Ｄ２に走査されると共に、照射位置Ｐ１〜Ｐ６は図５に示される移動方向Ｄ３に移動する。
【００３２】
光源駆動部３３５は、発光部３３４Ａ〜３３４Ｆ各々に駆動電流を供給して発光部３３４Ａ〜３３４Ｆ各々を発光させる駆動回路である。例えば、光源駆動部３３５は、制御部５から入力される制御信号によって設定された発光光量で発光部３３４Ａ〜３３４Ｆ各々を発光させる。
【００３３】
また、光源駆動部３３５は、制御部５から入力される画像データに基づいて変調されたパルス信号に応じて、発光部３３４Ａ〜３３４Ｆ各々から画像データに対応する光を射出させる。具体的に、光源駆動部３３５は、図５に示される照射位置Ｐ１〜Ｐ６が潜像形成領域Ｒ１００を移動する間、発光部３３４Ａ〜３３４Ｆ各々から画像データに対応する光を射出させる。発光部３３４Ａ〜３３４Ｆから射出された画像データに対応する光は、ポリゴンミラー３３１によって感光体ドラム３１上に走査される。これにより、感光体ドラム３１上に画像データに対応する静電潜像が形成される。
【００３４】
受光部３３６は、ポリゴンミラー３３１による光Ｂ１〜Ｂ６の走査経路上の予め定められた位置に設けられ、ポリゴンミラー３３１の反射面３３１Ａ〜３３１Ｆで反射された光Ｂ１〜Ｂ６各々を検出する。例えば、受光部３３６は、図５に示される反射面３３１Ａの照射位置Ｐ１〜Ｐ６で反射された光Ｂ１〜Ｂ６を受光可能な位置に設けられる。受光部３３６は、図６に示されるように、光Ｂ１〜Ｂ６各々に対応する複数の受光素子３３６Ａ〜３３６Ｆを有する。図６に示されるように、受光素子３３６Ａは光Ｂ１に対応して設けられ、受光素子３３６Ｂは光Ｂ２に対応して設けられる。また、受光素子３３６Ｃは光Ｂ３に対応して設けられ、受光素子３３６Ｄは光Ｂ４に対応して設けられる。また、受光素子３３６Ｅは光Ｂ５に対応して設けられ、受光素子３３６Ｆは光Ｂ６に対応して設けられる。
【００３５】
受光素子３３６Ａ〜３３６Ｆ各々は、図７に示されるように、予め定められた強度Ｔｈ以上の光の受光に応じて前記受光信号を出力する。受光素子３３６Ａ〜３３６Ｆ各々から出力される前記受光信号は、制御部５に入力される。例えば、画像形成装置１０では、受光素子３３６Ｆによる前記受光信号（ＢＤ信号）の出力タイミングに基づいて、図５に示される照射位置Ｐ１〜Ｐ６の潜像形成領域Ｒ１００への進入タイミング、即ち静電潜像の書き出しタイミングが決定される。
【００３６】
ところで、ポリゴンミラー３３１の反射面３３１Ａ〜３３１Ｆに汚れが生じることがある。この場合、反射面３３１Ａ〜３３１Ｆの反射率が低下して、ポリゴンミラー３３１によって走査される光Ｂ１〜Ｂ６の光量が低下する。これに対し、受光部３３６で検出される光Ｂ１〜Ｂ６の光量に基づいて、発光部３３４Ａ〜３３４Ｆの発光光量を調整することが考えられる。
【００３７】
しかしながら、ポリゴンミラー３３１の反射面３３１Ａ〜３３１Ｆには、汚れが生じやすい領域と汚れが生じにくい領域とが存在する。そのため、受光部３３６で検出される光Ｂ１〜Ｂ６の光量に基づいて発光部３３４Ａ〜３３４Ｆの発光光量が調整される場合において、発光部３３４Ａ〜３３４Ｆの発光光量がポリゴンミラー３３１による光Ｂ１〜Ｂ６の走査周期Ｔ２内で同一とされる場合には、ポリゴンミラー３３１によって走査される光Ｂ１〜Ｂ６の光量にバラつきが生じる。
【００３８】
ここで、図９及び図１０に、ポリゴンミラー３３１の反射面３３１Ａに生じる汚れの一例を示す。なお、図９は、画像形成装置１０の使用初期における図５に示された反射面３３１Ａの状態を示す図である。また、図１０は、画像形成装置１０が長期的に使用された後における図５に示された反射面３３１Ａの状態を示す図である。なお、図９及び図１０では、汚れＸが一点鎖線で囲まれた領域により示されている。また、以下では、反射面３３１Ａを例に挙げて説明するが、反射面３３１Ｂ〜３３１Ｆについても同様である。
【００３９】
ポリゴンミラー３３１が回転方向Ｄ１に回転すると、ポリゴンミラー３３１の外周における角部（反射面３３１Ａと反射面３３１Ｆとの境界）で気流が発生する。これにより、反射面３３１Ａにおける移動方向Ｄ３の上流側の端部であって、回転軸３３１Ｇの軸方向の中央である付着位置Ｐ０（図９参照）に周囲の空気が吹き付けられる。そのため、付着位置Ｐ０に空気中に含まれる塵などの異物が付着して汚れＸが生じる。また、ポリゴンミラー３３１の回転数が増加すると、反射面３３１Ａにおける汚れＸの付着領域が拡大する。具体的に、図９及び図１０に示されるように、反射面３３１Ａにおける汚れＸの付着領域は、付着位置Ｐ０を中心に前記軸方向及び移動方向Ｄ３に拡大する。
【００４０】
本発明の実施形態に係る画像形成装置１０では、以下に説明するように、ポリゴンミラー３３１によって走査される光Ｂ１〜Ｂ６の光量のバラつきを抑制することが可能である。
【００４１】
具体的に、制御部５の前記ＲＯＭには、前記ＣＰＵに後述のタイミング取得処理（図１３のフローチャート参照）及び潜像形成処理（図１４のフローチャート参照）を実行させるための潜像形成プログラムが予め記憶されている。なお、前記潜像形成プログラムは、ＣＤ、ＤＶＤ、ＨＤＤ、フラッシュメモリーなどのコンピューター読み取り可能な記録媒体に記録されており、前記記録媒体から読み取られて制御部５の前記ＥＥＰＲＯＭ等の記憶部にインストールされるものであってもよい。
【００４２】
そして、制御部５は、図２に示されるように、駆動処理部５１、発光処理部５２、特定処理部５３、検出処理部５４、取得処理部５５、報知処理部５６、及び切替処理部５７を含む。具体的に、制御部５は、前記ＣＰＵを用いて前記ＲＯＭに記憶されている前記潜像形成プログラムを実行する。これにより、制御部５は、駆動処理部５１、発光処理部５２、特定処理部５３、検出処理部５４、取得処理部５５、報知処理部５６、及び切替処理部５７として機能する。ここに、光走査部３３及び制御部５を備える装置が、本発明における光走査装置の一例である。
【００４３】
駆動処理部５１は、予め定められたタイミングでポリゴンミラー３３１を回転させる。例えば、駆動処理部５１は、前記印刷処理の実行指示が入力された場合に、モーター駆動部３３３に前記駆動信号を入力して、モーター駆動部３３３にモーター３３２を駆動させる。また、駆動処理部５１は、画像形成装置１０の電源投入時、又は画像形成装置１０の一部の機能が休止するスリープ状態から通常動作状態への復帰時に、ポリゴンミラー３３１を回転させてもよい。ここに、前記タイミングが、本発明における予め定められたタイミングの一例である。
【００４４】
発光処理部５２は、駆動処理部５１によってポリゴンミラー３３１が回転された場合に、発光部３３４Ａ〜３３４Ｆ各々を画像データに基づく光の射出時の基準光量より強い予め定められた特定光量で発光させる。具体的に、発光処理部５２は、光源駆動部３３５に前記制御信号を入力して、光源駆動部３３５に発光部３３４Ａ〜３３４Ｆ各々を前記特定光量で発光させる。例えば、発光処理部５２は、走査周期Ｔ２におけるポリゴンミラー３３１によって走査される光が受光部３３６に入射するタイミングを含む予め定められた特定期間ごとに、発光部３３４Ａ〜３３４Ｆ各々を発光させる。
【００４５】
特定処理部５３は、発光部３３４Ａ〜３３４Ｆ各々により射出された光Ｂ１〜Ｂ６各々を反射するポリゴンミラー３３１の反射面を特定する。例えば、特定処理部５３は、走査周期Ｔ２ごとに、前記駆動信号及び前記ＢＤ信号に基づいて前記反射面を特定する。
【００４６】
具体的に、特定処理部５３は、図８に示されるように、前記駆動信号の立ち上がりエッジのタイミングと前記ＢＤ信号の立ち上がりエッジのタイミングとの時間差ｔ２１〜ｔ２６に基づいて、前記反射面を特定する。即ち、画像形成装置１０では、前記駆動信号の５周期と回転周期Ｔ１とが対応付けられているため、前記駆動信号の立ち上がりエッジのタイミングが回転周期Ｔ１の６分の１に相当する走査周期Ｔ２各々で異なるものとなる。従って、走査周期Ｔ２における前記駆動信号の立ち上がりエッジのタイミングを取得することで、その走査周期Ｔ２に対応する前記反射面を特定することが可能である。
【００４７】
検出処理部５４は、ポリゴンミラー３３１による光の走査経路上において、発光部３３４Ａ〜３３４Ｆ各々により射出されて反射面３３１Ａ〜３３１Ｆで反射された光Ｂ１〜Ｂ６各々の光量を検出する。具体的に、検出処理部５４は、受光部３３６の受光素子３３６Ａ〜３３６Ｆ各々からの前記受光信号の出力時間に基づいて、光Ｂ１〜Ｂ６各々の光量を検出する。ここに、受光部３３６の受光素子３３６Ａ〜３３６Ｆ及び検出処理部５４が、本発明における光検出部の一例である。
【００４８】
例えば、画像形成装置１０では、受光素子３３６Ａ〜３３６Ｆからの前記受光信号の出力時間と受光素子３３６Ａ〜３３６Ｆにおける光の受光量とが予め対応付けられたテーブルデータが前記ＥＥＰＲＯＭ等の記憶部に記憶されている。検出処理部５４は、前記テーブルデータを参照して、受光素子３３６Ａ〜３３６Ｆ各々からの前記受光信号の出力時間に応じた受光素子３３６Ａ〜３３６Ｆ各々における光の受光量を検出する。
【００４９】
例えば、検出処理部５４は、図７に示されるように、受光部３３６のいずれかの受光素子から出力される前記受光信号の出力時間が出力時間ｔ１１である場合に、前記テーブルデータを参照して、出力時間ｔ１１に対応する光の受光量を検出する。また、検出処理部５４は、図７に示されるように、受光部３３６のいずれかの受光素子から出力される前記受光信号の出力時間が出力時間ｔ１２である場合に、前記テーブルデータを参照して、出力時間ｔ１２に対応する光の受光量を検出する。
【００５０】
なお、受光素子３３６Ａ〜３３６Ｆ各々から受光量に応じた電圧又は電流の前記受光信号が出力される場合には、検出処理部５４は、前記受光信号における電圧又は電流に基づいて、受光素子３３６Ａ〜３３６Ｆ各々における光の受光量を検出する。
【００５１】
取得処理部５５は、特定処理部５３によって特定される前記反射面ごとに検出処理部５４によって予め定められた複数の走査周期Ｔ２で検出される光Ｂ１〜Ｂ６各々の光量の平均値に基づいて、前記反射面各々に対応する走査周期Ｔ２における発光部３３４Ａ〜３３４Ｆ各々の発光光量の切替タイミングを取得する。具体的に、取得処理部５５は、発光処理部５２によって発光部３３４Ａ〜３３４Ｆ各々が発光された場合に検出処理部５４によって検出される光Ｂ１〜Ｂ６各々の光量に基づいて、走査周期Ｔ２における前記切替タイミングを取得する。
【００５２】
例えば、取得処理部５５は、反射面３３１Ａに対応する走査周期Ｔ２各々で検出処理部５４によって検出される光Ｂ１〜Ｂ６各々の光量の平均値を算出する。例えば、取得処理部５５は、反射面３３１Ａに対応する走査周期Ｔ２の１０周期分で検出処理部５４によって検出される光Ｂ１〜Ｂ６各々の光量の平均値を算出する。
【００５３】
また、取得処理部５５は、算出された光Ｂ１〜Ｂ６各々の光量の平均値に基づいて、反射面３３１Ａにおける現在の汚れＸの付着状況を特定する。例えば、取得処理部５５は、図５に示される反射面３３１Ａの照射位置Ｐ１〜Ｐ６各々における反射光の光量の低下の有無及び低下量に応じて予め設定された１０段階の汚れＸの付着状況から、現在の汚れＸの付着状況を特定する。例えば、図９に示される汚れＸの付着状況は２段階目に対応し、図１０に示される汚れＸの付着状況は８段階目に対応する。
【００５４】
そして、取得処理部５５は、特定された反射面３３１Ａにおける現在の汚れＸの付着状況に対応する前記切替タイミングを取得する。例えば、画像形成装置１０では、図１１に示されるように、反射面３３１Ａの潜像形成領域Ｒ１００に、移動方向Ｄ３における幅が等間隔の分割領域Ｒ１〜Ｒ１６が設定されている。また、画像形成装置１０では、反射面３３１Ａにおける汚れＸの付着状況ごとに、分割領域Ｒ１〜Ｒ１６各々への発光部３３４Ａ〜３３４Ｆ各々の発光光量の補正値を定める光量補正データが前記ＥＥＰＲＯＭ等の記憶部に記憶されている。取得処理部５５は、特定された反射面３３１Ａにおける現在の汚れＸの付着状況に対応する前記光量補正データを取得することで、反射面３３１Ａに対応する走査周期Ｔ２における前記切替タイミングを取得する。
【００５５】
図１２に、前記光量補正データの一例を示す。なお、図１２に示される光量補正データＤ１０は、図１０に示される汚れＸの付着状況に対応するデータである。また、図１２では、分割領域Ｒ１〜Ｒ１６各々への発光部３３４Ａ〜３３４Ｆ各々の発光光量の補正値が、前記基準光量に対する発光光量の増加率で示されている。
【００５６】
同様に、取得処理部５５は、反射面３３１Ｂ〜３３１Ｆ各々に対応する前記光量補正データを取得することで、反射面３３１Ｂ〜３３１Ｆ各々に対応する走査周期Ｔ２における前記切替タイミングを取得する。
【００５７】
なお、取得処理部５５は、特定処理部５３によって特定される前記反射面ごとに検出処理部５４によって検出される光Ｂ１〜Ｂ６各々の光量に基づいて、前記反射面各々に対応する走査周期Ｔ２における前記切替タイミングを取得してもよい。
【００５８】
また、画像形成装置１０において、特定処理部５３が設けられていない構成が他の実施形態として考えられる。この場合、取得処理部５５は、検出処理部５４によって複数の走査周期Ｔ２で検出される光Ｂ１〜Ｂ６各々の光量の平均値に基づいて、走査周期Ｔ２における前記切替タイミングを取得することが考えられる。また、取得処理部５５は、検出処理部５４によって検出される光Ｂ１〜Ｂ６各々の光量に基づいて、走査周期Ｔ２における前記切替タイミングを取得することも考えられる。
【００５９】
報知処理部５６は、検出処理部５４によって検出される光Ｂ１〜Ｂ６各々の光量のいずれかが予め定められた閾値未満である場合に、前記反射面の清掃が必要である旨を報知する。例えば、報知処理部５６は、前記反射面の清掃が必要である旨のメッセージを操作表示部６の表示部に表示させる。
【００６０】
なお、報知処理部５６は、操作表示部６における前記メッセージの表示に替えて又は前記メッセージの表示と共に、アラーム音、表示部の色の変化又は表示部の照度の変化によって報知してもよく、前記メッセージを含む電子メールを画像形成装置１０の保守作業担当者等の予め定められた送信先に送信してもよい。
【００６１】
切替処理部５７は、取得処理部５５によって取得される前記切替タイミングに基づいて、発光部３３４Ａ〜３３４Ｆ各々の発光光量を切り替える。例えば、切替処理部５７は、反射面３３１Ａ〜３３１Ｆ各々に対応する前記光量補正データに基づいて、光源駆動部３３５に発光部３３４Ａ〜３３４Ｆ各々の発光光量を切り替えさせる。
【００６２】
［タイミング取得処理］
以下、図１３を参照しつつ、画像形成装置１０において制御部５により実行されるタイミング取得処理の手順の一例と共に、本発明の光走査方法の手順の一例について説明する。ここで、ステップＳ１１、Ｓ１２・・・は、制御部５により実行される処理手順（ステップ）の番号を表している。
【００６３】
＜ステップＳ１１＞
まず、ステップＳ１１において、制御部５は、前記タイミングが到来したか否かを判断する。例えば、制御部５は、前記印刷処理の実行指示が入力された場合に、前記タイミングが到来したと判断する。なお、制御部５は、画像形成装置１０の電源が投入された場合、又は画像形成装置１０が前記スリープ状態から前記通常動作状態に復帰した場合に、前記タイミングが到来したと判断してもよい。
【００６４】
ここで、制御部５は、前記タイミングが到来したと判断すると（Ｓ１１のＹｅｓ側）、処理をステップＳ１２に移行させる。また、前記タイミングが到来していなければ（Ｓ１１のＮｏ側）、制御部５は、ステップＳ１１で前記タイミングの到来を待ち受ける。
【００６５】
＜ステップＳ１２＞
ステップＳ１２において、制御部５は、ポリゴンミラー３３１を回転させる。具体的に、制御部５は、モーター駆動部３３３に前記駆動信号を入力して、モーター駆動部３３３にモーター３３２を駆動させる。ここで、ステップＳ１１及びステップＳ１２の処理は、制御部５の駆動処理部５１により実行される。
【００６６】
＜ステップＳ１３＞
ステップＳ１３において、制御部５は、発光部３３４Ａ〜３３４Ｆ各々を前記特定光量で発光させる。具体的に、制御部５は、光源駆動部３３５に前記制御信号を入力して、光源駆動部３３５に発光部３３４Ａ〜３３４Ｆ各々を前記特定光量で発光させる。例えば、制御部５は、走査周期Ｔ２における前記特定期間ごとに、発光部３３４Ａ〜３３４Ｆ各々を発光させる。ここで、ステップＳ１３の処理は、制御部５の発光処理部５２により実行される。
【００６７】
なお、ステップＳ１３において、制御部５は、発光部３３４Ａ〜３３４Ｆ各々を前記基準光量で発光させてもよい。ステップＳ１３において前記基準光量より強い前記特定光量で発光部３３４Ａ〜３３４Ｆ各々が発光される場合、ステップＳ１７における前記反射面ごとの現在の汚れＸの付着状況の特定精度が向上する。
【００６８】
＜ステップＳ１４＞
ステップＳ１４において、制御部５は、発光部３３４Ａ〜３３４Ｆ各々から射出された光Ｂ１〜Ｂ６を反射するポリゴンミラー３３１の前記反射面を特定する。例えば、制御部５は、前記駆動信号の立ち上がりエッジのタイミングと、受光素子３３６Ｆで受光された前記ＢＤ信号の立ち上がりエッジのタイミングとの時間差に基づいて、前記反射面を特定する。ここで、ステップＳ１４の処理は、制御部５の特定処理部５３により実行される。
【００６９】
なお、ステップＳ１４の処理は省略されてもよい。前記タイミング取得処理では、ステップＳ１４の処理が実行されることで、前記反射面ごとに走査周期Ｔ２における前記切替タイミングを取得することが可能である。
【００７０】
＜ステップＳ１５＞
ステップＳ１５において、制御部５は、ステップＳ１４で特定された前記反射面で反射されて受光部３３６の受光素子３３６Ａ〜３３６Ｆ各々で受光される光Ｂ１〜Ｂ６各々の光量を検出する。例えば、制御部５は、前記テーブルデータを参照して、受光素子３３６Ａ〜３３６Ｆ各々からの前記受光信号の出力時間に応じた受光素子３３６Ａ〜３３６Ｆ各々における光の受光量を検出する。ここで、ステップＳ１５の処理は、制御部５の検出処理部５４により実行される。
【００７１】
＜ステップＳ１６＞
ステップＳ１６において、制御部５は、受光部３３６による光Ｂ１〜Ｂ６の光量の検出が終了したか否かを判断する。例えば、制御部５は、ポリゴンミラー３３１の反射面３３１Ａ〜３３１Ｆのそれぞれについて、ステップＳ１５の処理が予め定められた回数だけ実行された場合に、受光部３３６による光Ｂ１〜Ｂ６の光量の検出が終了したと判断する。
【００７２】
ここで、制御部５は、受光部３３６による光Ｂ１〜Ｂ６の光量の検出が終了したと判断すると（Ｓ１６のＹｅｓ側）、処理をステップＳ１７に移行させる。また、受光部３３６による光Ｂ１〜Ｂ６の光量の検出が終了していなければ（Ｓ１６のＮｏ側）、制御部５は、処理をステップＳ１３に移行させる。
【００７３】
なお、ステップＳ１４の処理が省略される場合、制御部５は、ステップＳ１６において、ステップＳ１５の処理が予め定められた回数だけ実行された場合に、受光部３３６による光Ｂ１〜Ｂ６の光量の検出が終了したと判断してもよい。
【００７４】
＜ステップＳ１７＞
ステップＳ１７において、制御部５は、ステップＳ１４で特定される前記反射面ごとにステップＳ１５で予め定められた回数だけ検出される光Ｂ１〜Ｂ６各々の光量の平均値に基づいて、前記反射面各々に対応する走査周期Ｔ２における前記切替タイミングを取得する。ここに、ステップＳ１７の処理が、本発明における第１ステップの一例であって、制御部５の取得処理部５５により実行される。
【００７５】
例えば、制御部５は、ステップＳ１４で特定される前記反射面ごとに、ステップＳ１５で検出される光Ｂ１〜Ｂ６各々の光量の平均値を算出する。また、制御部５は、算出された光Ｂ１〜Ｂ６各々の光量の平均値に基づいて、前記反射面ごとの現在の汚れＸの付着状況を特定する。そして、制御部５は、特定された前記反射面ごとの現在の汚れＸの付着状況に対応する前記光量補正データを取得することで、前記反射面各々に対応する走査周期Ｔ２における前記切替タイミングを取得する。
【００７６】
例えば、制御部５は、取得した前記反射面各々に対応する前記光量補正データを前記ＲＡＭ又は前記ＥＥＰＲＯＭに記憶させる。ステップＳ１７で前記ＲＡＭ又は前記ＥＥＰＲＯＭに記憶される前記反射面各々に対応する前記光量補正データは、後述する潜像形成処理で用いられる。
【００７７】
なお、制御部５は、ステップＳ１７において、ステップＳ１４で特定される前記反射面ごとにステップＳ１５で検出される光Ｂ１〜Ｂ６各々の光量に基づいて、前記反射面各々に対応する走査周期Ｔ２における前記切替タイミングを取得してもよい。また、ステップＳ１４の処理が省略される場合、制御部５は、ステップＳ１７において、ステップＳ１５で予め定められた回数だけ検出される光Ｂ１〜Ｂ６各々の光量の平均値に基づいて、走査周期Ｔ２における前記切替タイミングを取得してもよい。また、ステップＳ１４の処理が省略される場合、制御部５は、ステップＳ１７において、ステップＳ１５で検出される光Ｂ１〜Ｂ６各々の光量に基づいて、走査周期Ｔ２における前記切替タイミングを取得してもよい。
【００７８】
＜ステップＳ１８＞
ステップＳ１８において、制御部５は、ステップＳ１５で検出される光Ｂ１〜Ｂ６各々の光量のいずれかが前記閾値未満であるか否かを判断する。
【００７９】
ここで、制御部５は、ステップＳ１５で検出される光Ｂ１〜Ｂ６各々の光量のいずれかが前記閾値未満であると判断すると（Ｓ１８のＹｅｓ側）、処理をステップＳ１９に移行させる。また、ステップＳ１５で検出される光Ｂ１〜Ｂ６各々の光量の全てが前記閾値以上であれば（Ｓ１８のＮｏ側）、制御部５は、処理をステップＳ１１に移行させる。
【００８０】
＜ステップＳ１９＞
ステップＳ１９において、制御部５は、前記反射面の清掃が必要である旨を報知する。例えば、制御部５は、前記反射面の清掃が必要である旨のメッセージを操作表示部６に表示させる。ここで、ステップＳ１８及びステップＳ１９の処理は、制御部５の報知処理部５６により実行される。これにより、画像形成装置１０のユーザーは、前記反射面の清掃が必要であることを認識して、メンテナンスの依頼、又は光走査部３３の交換などの対処を行うことが可能である。
【００８１】
なお、制御部５は、操作表示部６における前記メッセージの表示に替えて又は前記メッセージの表示と共に、前記メッセージを含む電子メールを画像形成装置１０の保守作業担当者等の予め定められた送信先に送信してもよい。これにより、メンテナンスの依頼を行うユーザーの手間が軽減される。
【００８２】
［潜像形成処理］
次に、図１４を参照しつつ、画像形成装置１０において制御部５により実行される潜像形成処理の手順の一例と共に、本発明の光走査方法の手順の一例について説明する。なお、前記潜像形成処理は、前記タイミングが前記印刷処理の実行指示の入力時である場合は、前記タイミング取得処理の終了後に実行される。また、前記潜像形成処理は、前記タイミングが前記印刷処理の実行指示の入力時以外である場合は、前記印刷処理の実行指示が入力された場合に実行される。
【００８３】
＜ステップＳ３１＞
まず、ステップＳ３１において、制御部５は、前記ＢＤ信号を取得する。例えば、制御部５は、走査周期Ｔ２における前記特定期間の間、発光部３３４Ｆを前記基準光量で発光させて、前記ＢＤ信号を取得する。
【００８４】
＜ステップＳ３２＞
ステップＳ３２において、制御部５は、ステップＳ３１で取得される前記ＢＤ信号の取得タイミングに基づいて、発光部３３４Ｆから射出された光Ｂ６を反射したポリゴンミラー３３１の前記反射面を特定する。
【００８５】
＜ステップＳ３３＞
ステップＳ３３において、制御部５は、ステップＳ３１で取得される前記ＢＤ信号の取得タイミングに基づいて、発光部３３４Ａ〜３３４Ｆ各々から画像データに対応する光を射出させる。
【００８６】
＜ステップＳ３４＞
ステップＳ３４において、制御部５は、前記タイミング取得処理のステップＳ１７で取得された前記反射面各々に対応する前記光量補正データのうち、ステップＳ３２で特定された前記反射面に対応する前記光量補正データに基づいて、前記切替タイミングが到来したか否かを判断する。
【００８７】
ここで、制御部５は、前記切替タイミングが到来したと判断すると（Ｓ３４のＹｅｓ側）、処理をステップＳ３５に移行させる。また、前記切替タイミングが到来していなければ（Ｓ３４のＮｏ側）、制御部５は、ステップＳ３４で前記切替タイミングの到来を待ち受ける。
【００８８】
＜ステップＳ３５＞
ステップＳ３５において、制御部５は、ステップＳ３２で特定された前記反射面に対応する前記光量補正データに基づいて、発光部３３４Ａ〜３３４Ｆ各々の発光光量を切り替える。ここに、ステップＳ３５の処理が、本発明における第２ステップの一例であって、制御部５の切替処理部５７により実行される。
【００８９】
＜ステップＳ３６＞
ステップＳ３６において、制御部５は、ステップＳ３２で特定された前記反射面への発光部３３４Ａ〜３３４Ｆ各々からの画像データに対応する光の射出が終了したか否かを判断する。
【００９０】
ここで、制御部５は、ステップＳ３２で特定された前記反射面への発光部３３４Ａ〜３３４Ｆ各々からの画像データに対応する光の射出が終了したと判断すると（Ｓ３６のＹｅｓ側）、処理をステップＳ３７に移行させる。また、画像データに対応する光の射出が終了していなければ（Ｓ３６のＮｏ側）、制御部５は、処理をステップＳ３４に移行させる。
【００９１】
＜ステップＳ３７＞
ステップＳ３７において、制御部５は、前記印刷処理が終了したか否かを判断する。
【００９２】
ここで、制御部５は、印刷処理が終了したと判断すると（Ｓ３７のＹｅｓ側）、前記潜像形成処理を終了させる。また、印刷処理が終了していなければ（Ｓ３７のＮｏ側）、制御部５は、処理をステップＳ３１に移行させる。
【００９３】
このように、画像形成装置１０では、検出処理部５４によって検出される光Ｂ１〜Ｂ６各々の光量に基づいて、走査周期Ｔ２における発光部３３４Ａ〜３３４Ｆ各々の発光光量の前記切替タイミングが取得される。そして、取得された前記切替タイミングに基づいて、発光部３３４Ａ〜３３４Ｆ各々の発光光量が切り替えられる。これにより、ポリゴンミラー３３１によって走査される光Ｂ１〜Ｂ６各々の光量のバラつきを抑制することが可能である。
【符号の説明】
【００９４】
１    ＡＤＦ
２    画像読取部
３    画像形成部
４    給紙部
５    制御部
６    操作表示部
１０  画像形成装置
３３  光走査部
３３１  ポリゴンミラー
３３２  モーター
３３３  モーター駆動部
３３４  光射出部
３３４Ａ〜３３４Ｆ  発光部
３３５  光源駆動部
３３６  受光部
３３６Ａ〜３３６Ｆ  受光素子
５１  駆動処理部
５２  発光処理部
５３  特定処理部
５４  検出処理部
５５  取得処理部
５６  報知処理部
５７  切替処理部
【図１】
0006555192.tif 000002
【図２】
0006555192.tif 000003
【図３】
0006555192.tif 000004
【図４】
0006555192.tif 000005
【図５】
0006555192.tif 000006
【図６】
0006555192.tif 000007
【図７】
0006555192.tif 000008
【図８】
0006555192.tif 000009
【図９】
0006555192.tif 000010
【図１０】
0006555192.tif 000011
【図１１】
0006555192.tif 000012
【図１２】
0006555192.tif 000013
【図１３】
0006555192.tif 000014
【図１４】
0006555192.tif 000015